(57)【要約】  【課題】  本発明は、ユーザーの存否を感知して、不在中の場合は、電源コンセントの電力又はガス弁を遮断させるシステムに関する。  【解決手段】  本システムには、電力供給装置及び弁装置と、これら装置の外部に設けられ、これら装置と有線又は無線で連結される信号送信装置とが含まれる。この信号送信装置がユーザーの存否を感知して制御信号を発生し、上記制御信号が電力供給装置及び弁装置で受信された後に電力又は流体の流れが制御されるようになる。【選択図】  図２
2010524420.tif 000002
【特許請求の範囲】
【請求項１】
信号送信装置及び電力供給装置を含む電力制御システムにおいて、
上記信号送信装置は、
客体の存否を感知する客体感知センサー部；及び
上記客体感知センサー部の感知に対応して制御信号を発送する信号送信部；を含み、
上記電力供給装置は、
上記制御信号を受信する信号受信部；及び
上記受信された制御信号によって電力の流れを制御する電源制御部；を含み、
上記信号送信装置は上記電力供給装置の外部に設けられ、上記信号送信装置の信号送信部と上記電力供給装置の信号受信部とが有線又は無線で連結可能であることを特徴とする電力制御システム。
【請求項２】
上記電力供給装置は、電源コンセントであることを特徴とする請求項１に記載の電力制御システム。
【請求項３】
上記信号送信装置は、複数の電力供給装置と有線又は無線で連結可能であり、
上記信号送信装置の信号送信部は、連結された上記電力供給装置全てに対して制御信号を送信できることを特徴とする請求項１に記載の電力制御システム。
【請求項４】
上記信号受信部と上記信号送信部との連結が解除された場合、上記電源制御部は上記電力の供給をオンさせることを特徴とする請求項１に記載の電力制御システム。
【請求項５】
上記信号送信装置は、タイマー部を更に含み、
上記信号送信部は、
既設定された第１待機時間以上客体が感知されなければ、電力の供給をオフさせるようにする制御信号を発送し、
既設定された第２待機時間以上客体が感知されれば、電力の供給をオンさせるようにする制御信号を発送することを特徴とする請求項１から４のうち何れか１項に記載の電力制御システム。
【請求項６】
信号送信装置及び弁装置を含む弁制御システムにおいて、
上記信号送信装置は、
客体の存否を感知する客体感知センサー部；及び
上記客体感知センサー部の感知に対応して制御信号を発送する信号送信部；を含み、
上記弁装置は、
上記制御信号を受信する信号受信部；及び
上記受信された制御信号によって流体の流れを制御する弁制御部；を含み、
上記信号送信装置は上記弁装置の外部に設けられ、上記信号送信装置の信号送信部と上  記弁装置の信号受信部とが有線又は無線で連結可能であることを特徴とする弁制御システム。
【請求項７】
上記信号送信装置は、多数の弁装置と有線又は無線で連結可能であり、
上記信号送信装置の信号送信部は、連結された上記弁装置全てに対して制御信号を送信できることを特徴とする請求項６に記載の弁制御システム。
【請求項８】
上記信号受信部と上記信号送信部との連結が解除された場合、上記弁装置は、上記流体の供給を手動式によってのみ制御可能にすることを特徴とする請求項６に記載の弁制御システム。
【請求項９】
上記信号送信装置は、タイマー部を更に含み、
上記信号送信部は、
既設定された第１待機時間以上客体が感知されなければ、流体の供給をオフさせるようにする制御信号を発送し、
既設定された第２待機時間以上客体が感知されれば、流体の供給をオンさせるようにする制御信号を発送することを特徴とする請求項６から８のうち何れか１項に記載の弁制御システム。
【請求項１０】
信号送信装置、電力供給装置及び弁装置を含む電力及び弁統合制御システムにおいて、
上記信号送信装置は、
客体の存否を感知する客体感知センサー部；及び
上記客体感知センサー部の感知に対応して制御信号を発送する信号送信部；を含み、
上記電力供給装置は、
上記制御信号を受信する電力制御信号受信部；及び
上記受信された制御信号によって電力の流れを制御する電源制御部；を含み、
上記弁装置は、
上記制御信号を受信する弁制御信号受信部；及び
上記受信された制御信号によって流体の流れを制御する弁制御部；を含み、
上記信号送信装置は上記電力供給装置及び上記弁装置の外部に設けられ、上記信号送信装置の信号送信部は、上記電力供給装置の電力制御信号受信部及び上記弁装置の弁制御信号受信部と有線又は無線で連結可能であることを特徴とする電力及び弁統合制御システム。
【請求項１１】
上記信号送信部は、多数の電力制御信号受信部及び多数の弁制御信号受信部と有線又は無線で連結可能であり、
上記信号送信部は、連結された上記電力制御信号受信部及び弁制御信号受信部全てに対して制御信号を送信できることを特徴とする請求項１０に記載の電力及び弁統合制御システム。
【請求項１２】
上記電力制御信号受信部と上記信号送信部との連結が解除された場合、上記電源制御部は電力の供給をオンさせ、
上記弁制御信号受信部と上記信号送信部との連結が解除された場合、上記弁制御部は、流体の供給を手動式によってのみ制御可能にすることを特徴とする請求項１０に記載の電力及び弁統合制御システム。
【発明の詳細な説明】
【技術分野】
【０００１】
本発明は、ユーザーの存否を感知して、不在中の場合は、電源コンセントの電力を遮断したりガス弁を遮断したりするシステムに関する。
【背景技術】
【０００２】
電源コンセントに連結されている電子製品は、その電源が切れているとしても、少量の電流は流れているため、少量の電力が消耗される。このような少量の電力を待機電力という。このような待機電力は、電気／電子製品の寿命にも悪影響を及ぼすばかりか、電力浪費の一要因ともなる。また、漏電事故などの可能性を高めるといった問題点がある。
【０００３】
従って、このような待機電力を遮断する必要があるが、そのためには、ユーザーが待機電力を消耗する各電子製品を一つ一つ探して電源コンセントから分離するという手間がかかる。この場合、ユーザーにとっては手間がかかるだけではなく、ユーザーの不注意によって上述の分離作業を怠った場合は、待機電力を遮断できないという問題点がある。かかる問題点を解決するために、センサーを用いてユーザーを探知し、ユーザーが不在ならば待機電力を遮断するシステムが必要である。
【０００４】
ガス配管弁についても同一のことが言える。すなわち、ユーザーの不在時に可燃性ガス配管弁を遮断しない場合は、ガス漏れによる火災の危険性が非常に高まる。このような場合にも同様に、ユーザーの存否を探知して自動でガス弁を遮断するシステムが必要である。
【０００５】
また、より重要な点としては、このような待機電力及びガス弁の自動遮断システムを、それぞれの必要なコンセント及びガス弁全てに備える場合、多数のセンサー装置を要するので、高コストによる非効率性の問題点が生じる。
【発明の概要】
【発明が解決しようとする課題】
【０００６】
結局、存否を探知できる装置、及び不在中の場合に自動で待機電力を遮断したりガス弁を遮断したりする装置から構成されたシステムを最小のコストで構築する必要性がある。
【課題を解決するための手段】
【０００７】
本発明は、上記のような問題点を解決するために案出されたものであり、その目的は、待機電力の効果的な管理のために、待機電力を遮断できるようにした装置を提供することにある。
【０００８】
すなわち、本発明の目的は、ユーザーの存否を探知し、ユーザーが特定区域に存在する場合は、コンセントに電力を連結し、ユーザーが存在しない場合は、コンセントからの電力を遮断して待機電力の浪費を防止するための電源コンセント電力制御システムを提供することにある。
【０００９】
特に、本発明の目的は、センサーを用いてユーザーの存否を探知し電力制御信号をコンセントに送信する信号送信装置を、上記コンセントから分離して移動できるようにすることでユーザーの望む所定の位置に位置させることができる電源コンセント電力制御システムなどを提供することにある。
【００１０】
本発明の他の目的は、ガス弁などの効果的な管理のために、配管弁を遮断できるようにした装置を提供することにある。
【００１１】
すなわち、ユーザーの存否を探知し、ユーザーが特定区域に存在しない場合は、配管弁を遮断できる配管弁制御システムを提供することに本発明の目的がある。
【００１２】
特に、センサーを用いてユーザーの存否を探知し配管弁制御信号を配管弁の制御装置に送信する信号送信装置を、上記配管弁から分離して移動できるようにすることでユーザーの望む所定の位置に位置させることができる配管弁制御システムなどを提供することに本発明の目的がある。
【００１３】
上記目的を達成するための本発明による電力制御システムは、信号送信装置及び電力供給装置を含み、上記信号送信装置は、客体の存否を感知する客体感知センサー部と、上記客体感知センサー部の感知に対応して制御信号を発送する信号送信部とを含み、上記電力供給装置は、上記制御信号を受信する信号受信部と、上記受信された制御信号によって電力の流れを制御する電源制御部とを含み、上記信号送信装置は上記電力供給装置の外部に設けられ、上記信号送信装置の信号送信部と上記電力供給装置の信号受信部とが有線又は無線で連結可能である。
【００１４】
上記電力供給装置は電源コンセントであることが望ましい。
【００１５】
上記信号送信装置は、多数の電力供給装置と有線又は無線で連結可能であり、上記信号送信装置の信号送信部は、上記連結された全ての電力供給装置へ制御信号を送信できることが望ましい。
【００１６】
上記信号受信部と上記信号送信部との連結が解除された場合、上記電源制御部は上記電力の供給をオンさせることが望ましい。
【００１７】
また、上記信号送信装置は、タイマー部を更に含み、上記信号送信部は、既設定された第１待機時間以上客体が感知されなければ、電力の供給をオフさせるようにする制御信号を発送し、既設定された第２待機時間以上客体が感知されれば、電力の供給をオンさせるようにする制御信号を発送することが望ましい。
【００１８】
一方、本発明の他の態様による弁制御システムは、信号送信装置及び弁装置を含み、上記信号送信装置は、客体の存否を感知する客体感知センサー部と、上記客体感知センサー部の感知に対応して制御信号を発送する信号送信部とを含み、上記弁装置は、上記制御信号を受信する信号受信部と、上記受信された制御信号によって流体の流れを制御する弁制御部とを含み、上記信号送信装置は上記弁装置の外部に設けられ、上記信号送信装置の信号送信部と上記弁装置の信号受信部とが有線又は無線で連結可能である。
【００１９】
一方、本発明の別の態様による電力及び弁統合制御システムは、信号送信装置、電力供給装置及び弁装置を含み、上記信号送信装置は、客体の存否を感知する客体感知センサー部と、上記客体感知センサー部の感知に対応して制御信号を発送する信号送信部とを含み、上記電力供給装置は、上記制御信号を受信する電力制御信号受信部と、上記受信された制御信号によって電力の流れを制御する電源制御部とを含み、上記弁装置は、上記制御信号を受信する弁制御信号受信部と、上記受信された制御信号によって流体の流れを制御する弁制御部とを含み、上記信号送信装置は上記電力供給装置及び上記弁装置の外部に設けられ、上記信号送信装置の信号送信部は、上記電力供給装置の電力制御信号受信部及び上記弁装置の弁制御信号受信部と有線又は無線で連結可能である。
【発明の効果】
【００２０】
以上説明した通り、本発明によれば、ユーザーの不在中には電源コンセントの待機電力を適切に遮断することで、待機電力による電力浪費及び火災危険を防止できる。また、配管弁を適切に遮断することでガス中毒、火災、ガスや水道水などの浪費を防止できる。
【００２１】
また、人体感知センサー及びタイマーを備える信号送信部と電源コンセントの信号受信部との連結及び連結解除が自在で、一つの信号送信部は、多数のコンセント装置及び多数の配管弁装置との互換性を備えるように構成されるため、比較的高コストの信号送信装置をそれぞれの使用箇所毎に一つ一つ全て備える必要がなくてコスト面で非常に経済的である。
【００２２】
そして、ユーザーの必要に応じて望む電源コンセント又は配管弁のみを選択的に適切に制御でき、望む電源コンセント及び配管弁を全て一度に一括して制御することもできるという効果を奏し得る。
【図面の簡単な説明】
【００２３】
【図１】本発明による電力制御システムのブロック図である。
【図２】本発明の一実施例による電力制御システムの制御方法を説明するためのフローチャートである。
【図３】本発明の他の実施例による電力制御システムの制御方法を説明するためのフローチャートである。
【図４】本発明の一実施例によるコンセント装置を示す図面である。
【図５】本発明の一実施例によるコンセント装置を示す図面である。
【図６】本発明の一実施例による信号送信装置の２種の外形を示す図面である。
【図７】本発明の一実施例による電力制御システムの構成の外形を模式的に示す図面である。
【図８】本発明の他の実施例による弁制御システムのブロック図である。
【図９】本発明の別の実施例による電力及び弁統合制御システムのブロック図である。
【発明を実施するための形態】
【００２４】
以下、図面を参照しながら本発明をより詳しく説明する。
【００２５】
図１は、本発明の一実施例による電力制御システムの構成図である。電力制御システムは、大きくコンセント装置１００及び信号送信装置２００からなる。
【００２６】
コンセント装置１００は、電源コンセント部１１０、電源制御部１２０及び信号受信部１３０を含み、信号送信装置２００は、信号送信部２１０、タイマー２２０及び人体感知センサー２３０を含む。
【００２７】
１つの信号送信装置２００に１つのコンセント装置１００が連結されることもできるが、図１に示した通り、１つの信号送信装置２００に複数のコンセント装置１００が連結されることもできる。ここで、信号送信装置２００とコンセント装置１００との間は、有線でも無線でも連結可能である。
【００２８】
電源コンセント部１１０は、外部の電子製品のプラグなどが挿入される部分であって、これを通して外部の電子製品に電力が供給される。
【００２９】
電源制御部１２０は、後述の制御信号に応じて電源の供給をオン（on）又はオフ（off）する機能を行う。
【００３０】
信号受信部１３０は、後述の信号送信装置２００の信号送信部２１０で生成された信号を受信する機能を行う。
【００３１】
信号送信部２１０は、後述の人体感知センサー２３０の感知結果によって制御信号を生成し伝送する機能を行う。
【００３２】
タイマー２２０は、信号送信部２１０が制御信号を生成する際に必要となる時間情報の算出に用いられる。
【００３３】
また、人体感知センサー２３０は、信号送信装置２００の周囲における人体の存否を探知する。人体感知センサーとしては、人体の体温を探知する赤外線センサーや超音波を利用する超音波センサーを使用することができる。
【００３４】
ここで、人体感知センサー２３０は、客体感知センサー部の一例に過ぎず、人体だけではなく他の物体の変化も感知できるセンサーを採用することもできる。すなわち、周辺の人以外の環境の変化（物体の変化）も感知することによって、多様な状況に対処できるのである。このような電力制御システムの制御方法については、以下、図２を参照しながら詳しく説明する。
【００３５】
図２は、本発明の一実施例による電力制御システムの制御方法を説明するためのフローチャートである。
【００３６】
コンセント装置１００にＡＣ電源が印加される（Ｓ３１０）。一般的に、コンセント装置１００は、壁に固定され、常時ＡＣ電源が印加されている状態である。
【００３７】
その後、信号送信部２１０と信号受信部１３０とが連結されているかをチェックする（Ｓ３２０）。
【００３８】
信号送信部２１０が信号受信部１３０に連結されている場合は（Ｓ３２０−Ｙ）、人体感知センサー２３０が周囲における人体の存否を探索する（Ｓ３３０）。
【００３９】
人体が探知されなかった場合は（Ｓ３３０−Ｎ）、信号送信部２１０が第１信号を生成し信号受信部１３０に発送する（Ｓ３４０）。
【００４０】
このように発送された信号は、連結されている全てのコンセント装置１００の信号受信部１３０で受信され、受信された信号が第１信号ならば、電源制御部１２０は電力供給をオフ（off）する（Ｓ３４５）。すると、印加されたＡＶ電源が電源コンセント部１１０へ流れないため、電子製品のプラグを電源コンセント部１１０から引き抜いたことと同様になり、結局待機電力の発生を予防できるようになる。
【００４１】
反対に、人体が探知された場合は（Ｓ３３０−Ｙ）、信号送信部２１０が第２信号を生成して発送する（Ｓ３５０）。
【００４２】
このように発送された信号は、連結されている全てのコンセント装置１００の信号受信部１３０で受信され、受信された信号が第２信号ならば、電源制御部１２０は電力供給をオン（on）する（Ｓ３５５）。ここで、オンするとは、印加されたＡＣ電源が電源コンセント部１１０へ流れるようになるということであって、電源コンセント部１１０に電気装置などのプラグが連結されれば、上記電源コンセント部１１０からの電力供給がなされるようになることを意味する。
【００４３】
このようなコンセント装置１００の電力を制御する方法では、リレーなどを用いることができるが、これに限定されるものではない。
【００４４】
一方、本発明の場合、信号送信装置２００とコンセント装置１００とは相互連結又は連結解除自在に構成される。
【００４５】
図４は、本発明の一実施例によるコンセント装置を示す図面であって、前面部に４線式プラグ形態の信号受信部入力ソケット１３１を示している。このように４線式プラグのオスメスを用いて信号送信部２１０との連結（結合）及び連結（結合）解除が容易なように構成することができる。もちろんこれに限定されるものではなく、他の方式の有線結合のみならず、無線ネットワークを用いて連結する方法も可能である。
【００４６】
有線結合の場合は、使用方法がより直観的な長所があり、無線結合の場合は、相互間でプロトコルさえ統一すれば、多数のコンセント装置１００を１個の信号送信装置２００に容易に結合できるという長所がある。
【００４７】
そして、本発明の信号送信装置２００は、上記の通り連結及び連結解除が容易であるため、複数のコンセント装置１００を保有している場合、そのうちの何れか一つの必要なコンセント装置にだけ連結して使用することも可能である。また、上記複数のコンセント装置は規格が同一であって、第１信号及び第２信号は上記複数のコンセント装置全てへ伝送されることができ、各コンセント装置は全て同一の信号を用いるため、一つの信号送信装置２００をもって複数のコンセント装置１００を制御することが可能であるという効果を奏し得る。
【００４８】
使用しない特定のコンセント装置や、待機電力の遮断の必要性がないコンセント装置に対しては上記信号送信装置を連結する必要がなくなるが、このような場合は、信号送信装置をコンセント装置から連結解除でき、信号送信装置との連結が解除されたコンセント装置は通常のコンセント装置と同様に動作するようになる。
【００４９】
図２に戻って、信号送信部２１０と信号受信部１３０とが連結されていない場合（Ｓ３２０−Ｎ）、すなわち、コンセント装置１００と信号送信装置２００との連結が解除された場合、電源制御部１２０は電力供給をオンさせる（Ｓ３６０）。すなわち、人体感知センサーの感知結果にかかわらず、コンセント装置１００には電流が継続的に流れるため、電子装置のプラグが挿入され次第、電子装置に電源が供給され、その結果一般的なコンセント装置１００と同様に使用できるようになるのである。
【００５０】
一方、連結が解除された場合、入力信号は無入力（０ボルト）であることから、第２信号を無入力（０ボルト）と定義すれば、電源制御部１２０はより簡単なアルゴリズムによって製作可能である。
【００５１】
図３は、本発明のもう一つの実施例による、タイマーが連結された場合の電力制御システムの制御方法を説明するためのフローチャートである。
【００５２】
図３のステップＳ４１０、Ｓ４２０及びＳ４６０は、それぞれ図２のステップＳ３１０、Ｓ３２０及びＳ３６０と類似しているため、以下説明を省略する。
【００５３】
ステップＳ４３０で客体が感知されなかった場合は（Ｓ４３０−Ｎ）、第１待機時間以上感知されなかった場合にのみ（Ｓ４４０−Ｙ）、第１信号を発送して（Ｓ４４２）電力供給をオフさせる（Ｓ４４４）。これは、ユーザーが少しの間席をはずすこともあり、その度に電力供給をオフさせていてはユーザーの不便を招き得るためである。
【００５４】
また、ステップＳ４３０で客体が感知された場合も（Ｓ４３０−Ｙ）、第２待機時間以上感知された場合にのみ（Ｓ４５０−Ｙ）、第２信号を発送して（Ｓ４５２）電力供給をオンさせる（Ｓ４５４）。
【００５５】
このように待機時間を設けることで、ユーザーの予期していなかった不便を減らすことができ、またより確実な人体の探知が可能になる。更に、不在中であることを示す第１信号の生成に関連する第１待機時間を、第２待機時間よりも長く設ける場合は、より高い安全性が確保されるシステムの運営が可能となる。
【００５６】
本発明に用いられるタイマーは時間情報を生成するものならばどんなものでもよく、このようなタイマー装置は、当業者であれば容易に実施可能なものであるため、詳しい説明は省略する。
【００５７】
一方、上記第１及び第２待機時間としては、既設定された時間を用いてもよく、図６に示した通り、外部にダイヤルやボタン等の入力手段を設け、ユーザーが入力する方法を用いてもよい。
【００５８】
図４及び図５は、本発明の一実施例によるコンセント装置を示す図面である。図４のコンセント装置１００は電源コンセント部１１０を含む。信号受信部１３０内にある入力ソケット１３１は、一例として４線式のソケットが示されている。図５は、図４に示されたコンセント装置１００の断面を示す。図４のコンセント装置１００は、電源コンセント部１１０、電源制御部１２０及び信号受信部１３０を含む。
【００５９】
図７は、本発明の一実施例による電力制御システムの構成の外形を示す図面であって、上述の通り、信号送信装置２００と信号受信部１３０とが信号受信部内の入力ソケット１３１を通して有線で連結されることを示している。
【００６０】
一方、本発明は、電源コンセントの電力制御以外に、配管弁にも適用可能である。上記コンセント電力制御システムと比較するに、配管弁制御システムは、電源制御部が弁制御部５２０に代替され、電源コンセント部への電力を遮断するのではなく、配管弁部５１０を動作させて配管内における流体の流れを遮断させるという点で異なっている。
【００６１】
図８は、本発明のもう一つの実施例による弁制御システムのブロック図である。
【００６２】
配管弁部５１０、弁制御部５２０及び信号受信部５３０を含む弁装置５００と、信号送信部２１０、タイマー２２０及び人体感知センサー２３０を備える信号送信装置２００とを含む。
【００６３】
信号受信部５３０は、第１信号及び第２信号のうちどちらか一つの信号を受信し弁制御部５２０へ送信するが、弁制御部５２０は、第１信号を受信した場合は、配管弁部５１０を遮断し、第２信号を受信した場合は、配管弁部５１０を遮断せず開ける。
【００６４】
電源コンセント電力制御システムと同様に、上記信号送信装置と信号受信部は相互連結又は連結解除自在に構成される。すなわち、一例として、４線式プラグのオスメスを用いて連結及び連結解除が容易なように構成することができる。
【００６５】
本発明の信号送信装置は、上記の通り連結及び連結解除が容易であるため、複数の配管弁装置を保有している場合、そのうちの何れか一つの必要な配管弁装置にだけ連結して使用することが可能である。また、上記複数の配管弁装置は規格が同一であって、第１信号などの上記制御信号は上記複数の配管弁装置全てへ伝送されることができ、各信号は全て同一で互換されるため、一つの信号送信装置をもって複数の配管弁装置を制御することが可能であるという効果を奏し得る。
【００６６】
使用しない特定の配管弁装置や、ガスを遮断する必要性のない配管弁装置に対しては上記信号送信装置を連結する必要がなくなるが、このような場合は、信号送信装置を連結解除でき、信号送信装置との連結が解除された配管弁装置は通常の配管弁装置と同様に動作するようになる。すなわち、信号受信部と信号送信部との連結が解除された場合は、一般の弁として機能できるように、ユーザーが直接弁のつまみを回して作動させる手動モードに設定されることが望ましい。これをより容易になすために、人がいることを示す信号である第２信号は無入力（０ボルト）と設定されていることが望ましい。
【００６７】
配管弁部の制御方法としては、リレーなどを用いたりモータ及び歯車を用いたりして弁を開閉することができる。
【００６８】
本発明の主な用途としてＬＰＧ（液化石油ガス）やＬＮＧ（液化天然ガス）の配管弁に用いられる場合、誤作動に因る開弁を防止するために、始めから弁制御部が開弁の信号である第２信号を無視できるように設計することも望ましい。これにより、人がいない場合は弁が閉まることが可能であり、愛玩動物などによる誤作動で開弁することはないようにし、それによる副作用を防ぐことができる。かかる効果は、弁制御部ではなく信号受信部内にフィルター部を設け第２信号を遮断して第２信号が弁制御部へ伝達されないようにする構成によっても奏し得る。この時、フィルター部にスイッチを付加することで、ユーザーが上記フィルター部の作動をオンオフさせることができる。
【００６９】
本発明は、可燃性ガス配管のみならず、例えば、水道蛇口など、各種流体の配管にも汎用的に使用され得る。
【００７０】
上記電源コンセント電力制御システムと配管弁制御システムとを統合することで、一つの信号送信装置だけによっても全てのコンセント装置及び配管弁装置を制御できる電源コンセント電力及び配管弁統合制御システムが実現可能である。
【００７１】
図９は、本発明のもう一つの実施例による電力及び弁統合制御システムのブロック図である。
【００７２】
図９には、本発明による電力及び弁統合制御システムの構成図が示されている。電力及び弁統合制御システムは、電源コンセント部１１０及び電源制御部１２０及び信号受信部１３０を含むコンセント装置１００と、信号送信部２１０、タイマー２２０及び人体感知センサー２３０を備える信号送信装置２００と、配管弁部５１０、弁制御部５２０及び信号受信部５３０を含む弁装置５００とを含む。
【００７３】
すなわち、本発明によるコンセント装置１００の信号受信部及び電源制御部と弁装置５００の信号受信部及び弁制御部は、同一の信号送信装置２００と連結されて作動できるようになっている。すなわち、上記信号送信装置２００は、コンセント装置１００及び弁装置５００の両方に互換して使用できるように構成されているため、一つの信号送信装置２００さえ備えれば、上記コンセント装置１００及び弁装置５００を選択的に又は同時に制御できる。
【００７４】
本実施例では、電力供給装置としてコンセント装置１００を想定したが、これは説明の便宜のための一例に過ぎない。よって、コンセント装置１００の代わりに、電子装置に取り付けられたプラグから信号を受信し電源を遮断させる方式などのように、電子装置へ電力を供給する役割を果たす装置であればどんなものでもよい。
【００７５】
以上、本発明の望ましい実施例について図示及び説明したが、本発明は、上述の特定の実施例に限定されるものではなく、請求範囲にて請求される本発明の要旨を逸脱しない限り、当該発明の属する技術分野についての通常の知識を有する者によって多様な変形実施が可能であることは勿論のこと、かかる変形実施は、本発明の技術的思想や展望と別個のものと理解されてはならない。
【符号の説明】
【００７６】
１００  コンセント装置
１１０  電源コンセント部
１２０  電源制御部
１３０  信号受信部
１３１  入力ソケット
２００  信号送信装置
２１０  信号送信部
２２０  タイマー
２３０  人体感知センサー
５００  弁装置
５１０  配管弁部
５２０  弁制御部
５３０  信号受信部
【図１】
2010524420.tif 000003
【図２】
2010524420.tif 000004
【図３】
2010524420.tif 000005
【図４】
2010524420.tif 000006
【図５】
2010524420.tif 000007
【図６】
2010524420.tif 000008
【図７】
2010524420.tif 000009
【図８】
2010524420.tif 000010
【図９】
2010524420.tif 000011
【国際調査報告】
2010524420.tif 000012
2010524420.tif 000013